【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
被写体を撮影するための撮像素子と、
前記撮像素子への入射光を遮る方向へ走行するシャッタ幕と、該シャッタ幕を通電により生じる電磁力により走行前の初期位置に保持する幕保持機構を含むメカニカルシャッタと、
前記被写体の明るさに応じて、前記撮像素子の露光を開始してから前記幕保持機構への通電を解除するまでの時間を決定する決定手段と、
前記幕保持機構への通電時間及び前記幕保持機構への通電を解除してから次の通電を開始するまでの経過時間を計測する時間計測手段と、
前記通電時間から前記経過時間を引いた差分値が予め設定された閾値よりも大きい場合に、前記決定手段により決定された時間を長くするように調整する調整手段と、
前記差分値が前記閾値以下の場合には前記決定手段により決定された時間に基づいて、また、前記差分値が前記閾値よりも大きい場合には前記調整手段により調整された時間に基づいて、前記撮像素子の露光制御を行う露光制御手段と
を有することを特徴とする撮像装置。
【請求項２】
前記露光制御手段は、前記撮像素子をリセットさせて前記撮像素子の露光を開始し前記シャッタ幕を走行させて前記撮像素子の露光を終了することにより、前記撮像素子の露光制御を行うことを特徴とする請求項１に記載の撮像装置。
【請求項３】
前記調整手段は、前記差分値が前記閾値よりも大きい場合に、前記決定手段により決定された時間を、前記通電時間と前記経過時間により表される補正関数の値を用いて調整することを特徴とする請求項１または２に記載の撮像装置。
【請求項４】
前記調整手段は、前記差分値が前記閾値よりも大きい場合に、前記差分値に応じて、前記決定手段により決定された時間を調整することを特徴とする請求項１または２に記載の撮像装置。
【請求項５】
被写体を撮影して、電気信号を出力する撮像素子と、
前記撮像素子への入射光を遮る方向へ走行するシャッタ幕と、該シャッタ幕を通電により生じる電磁力により走行前の初期位置に保持する幕保持機構を含むメカニカルシャッタと、
前記被写体の明るさに応じて、前記撮像素子の露光を開始してから前記幕保持機構への通電を解除するまでの時間を決定する決定手段と、
前記撮像素子から出力された電気信号に、予め決められたゲイン値を用いてゲイン補正する画像処理回路と、
前記幕保持機構への通電時間及び前記幕保持機構への通電を解除してから次の通電を開始するまでの経過時間を計測する時間計測手段と、
前記通電時間から前記経過時間を引いた差分値が予め設定された閾値よりも大きい場合に、前記画像処理回路で用いられる前記ゲイン値を大きくするように調整する調整手段と
を有することを特徴とする撮像装置。
【請求項６】
前記調整手段は、前記差分値が前記閾値よりも大きい場合に、前記差分値に応じて、前記ゲイン値を調整することを特徴とする請求項５に記載の撮像装置。
【請求項７】
被写体を撮影するための撮像素子と、前記撮像素子への入射光を遮る方向へ走行するシャッタ幕及び該シャッタ幕を通電により生じる電磁力により走行前の初期位置に保持する幕保持機構を含むメカニカルシャッタと、前記幕保持機構への通電時間及び前記幕保持機構への通電を解除してから次の通電を開始するまでの経過時間を計測する時間計測手段とを有する撮像装置の制御方法であって、
決定手段が、前記被写体の明るさに応じて、前記撮像素子の露光を開始してから前記幕保持機構への通電を解除するまでの時間を決定する決定工程と、
調整手段が、前記通電時間と前記経過時間の差分値が予め設定された閾値よりも大きい場合に、前記決定工程で決定された時間を長くするように調整する調整工程と、
露光制御手段が、前記差分値が前記閾値以下の場合には前記決定工程で決定された時間に基づいて、また、前記差分値が前記閾値よりも大きい場合には前記調整工程で調整された時間に基づいて、前記撮像素子の露光制御を行う露光制御工程と
を有することを特徴とする制御方法。
【請求項８】
被写体を撮影して、電気信号を出力する撮像素子と、前記撮像素子への入射光を遮る方向へ走行するシャッタ幕及び該シャッタ幕を通電により生じる電磁力により走行前の初期位置に保持する幕保持機構を含むメカニカルシャッタと、前記幕保持機構への通電時間及び前記幕保持機構への通電を解除してから次の通電を開始するまでの経過時間を計測する時間計測手段とを有する撮像装置の制御方法であって、
決定手段が、前記被写体の明るさに応じて、前記撮像素子の露光を開始してから前記幕保持機構への通電を解除するまでの時間を決定する決定工程と、
ゲイン補正手段が、前記撮像素子から出力された電気信号に、予め決められたゲイン値を用いてゲイン補正するゲイン補正工程と、
調整手段が、前記通電時間と前記経過時間の差分値が予め設定された閾値よりも大きい場合に、前記ゲイン補正工程に先だって、前記ゲイン値を大きくするように調整する調整工程と
を有することを特徴とする制御方法。
【手続補正２】
【補正対象書類名】明細書
【補正対象項目名】００１１
【補正方法】変更
【補正の内容】
【００１１】
上記目的を達成するために、本発明の撮像装置は、被写体を撮影するための撮像素子と、前記撮像素子への入射光を遮る方向へ走行するシャッタ幕と、該シャッタ幕を通電により生じる電磁力により走行前の初期位置に保持する幕保持機構を含むメカニカルシャッタと、前記被写体の明るさに応じて、前記撮像素子の露光を開始してから前記幕保持機構への通電を解除するまでの時間を決定する決定手段と、前記幕保持機構への通電時間及び前記幕保持機構への通電を解除してから次の通電を開始するまでの経過時間を計測する時間計測手段と、前記通電時間から前記経過時間を引いた差分値が予め設定された閾値よりも大きい場合に、前記決定手段により決定された時間を長くするように調整する調整手段と、前記差分値が前記閾値以下の場合には前記決定手段により決定された時間に基づいて、また、前記差分値が前記閾値よりも大きい場合には前記調整手段により調整された時間に基づいて、前記撮像素子の露光制御を行う露光制御手段とを有する。
【手続補正３】
【補正対象書類名】明細書
【補正対象項目名】００１２
【補正方法】変更
【補正の内容】
【００１２】
また、被写体を撮影するための撮像素子と、前記撮像素子への入射光を遮る方向へ走行するシャッタ幕及び該シャッタ幕を通電により生じる電磁力により走行前の初期位置に保持する幕保持機構を含むメカニカルシャッタと、前記幕保持機構への通電時間及び前記幕保持機構への通電を解除してから次の通電を開始するまでの経過時間を計測する時間計測手段とを有する撮像装置の本発明の制御方法は、決定手段が、前記被写体の明るさに応じて、前記撮像素子の露光を開始してから前記幕保持機構への通電を解除するまでの時間を決定する決定工程と、調整手段が、前記通電時間と前記経過時間の差分値が予め設定された閾値よりも大きい場合に、前記決定工程で決定された時間を長くするように調整する調整工程と、露光制御手段が、前記差分値が前記閾値以下の場合には前記決定工程で決定された時間に基づいて、また、前記差分値が前記閾値よりも大きい場合には前記調整工程で調整された時間に基づいて、前記撮像素子の露光制御を行う露光制御工程とを有する。
【手続補正４】
【補正対象書類名】明細書
【補正対象項目名】００１３
【補正方法】変更
【補正の内容】
【００１３】
また、別の構成によれば、本発明の撮像装置は、被写体を撮影して、電気信号を出力する撮像素子と、前記撮像素子への入射光を遮る方向へ走行するシャッタ幕と、該シャッタ幕を通電により生じる電磁力により走行前の初期位置に保持する幕保持機構を含むメカニカルシャッタと、前記被写体の明るさに応じて、前記撮像素子の露光を開始してから前記幕保持機構への通電を解除するまでの時間を決定する決定手段と、前記撮像素子から出力された電気信号に、予め決められたゲイン値を用いてゲイン補正する画像処理回路と、前記幕保持機構への通電時間及び前記幕保持機構への通電を解除してから次の通電を開始するまでの経過時間を計測する時間計測手段と、前記通電時間から前記経過時間を引いた差分値が予め設定された閾値よりも大きい場合に、前記画像処理回路で用いられる前記ゲイン値を大きくするように調整する調整手段とを有する。
【手続補正５】
【補正対象書類名】明細書
【補正対象項目名】００１４
【補正方法】変更
【補正の内容】
【００１４】
また、被写体を撮影して、電気信号を出力する撮像素子と、前記撮像素子への入射光を遮る方向へ走行するシャッタ幕及び該シャッタ幕を通電により生じる電磁力により走行前の初期位置に保持する幕保持機構を含むメカニカルシャッタと、前記幕保持機構への通電時間及び前記幕保持機構への通電を解除してから次の通電を開始するまでの経過時間を計測する時間計測手段とを有する撮像装置の本発明の制御方法は、決定手段が、前記被写体の明るさに応じて、前記撮像素子の露光を開始してから前記幕保持機構への通電を解除するまでの時間を決定する決定工程と、ゲイン補正手段が、前記撮像素子から出力された電気信号に、予め決められたゲイン値を用いてゲイン補正するゲイン補正工程と、調整手段が、前記通電時間と前記経過時間の差分値が予め設定された閾値よりも大きい場合に、前記ゲイン補正工程に先だって、前記ゲイン値を大きくするように調整する調整工程とを有する。
【手続補正６】
【補正対象書類名】明細書
【補正対象項目名】００３７
【補正方法】変更
【補正の内容】
【００３７】
測光制御部４６は、入射光の強さ（撮影する被写体の明るさ）を測定する。システム制御回路５０は測光制御部４６により測定された測光値を基に露光時間と絞り値を決定し、各制御信号をシャッタ制御部４０と絞り制御部３４０に送信する。このように、システム制御回路５０が決定手段として機能する。このシステム制御回路５０からの制御信号に基づいて、シャッタ制御部４０がメカシャッタ１２による露光時間を調整し、絞り制御部３４０が絞り３１２を制御することにより、露光量が制御される。更に、電子シャッタを用いて露光量を制御する場合には、タイミング発生回路１８を制御して撮像素子１４をリセット走査する。
【手続補正７】
【補正対象書類名】明細書
【補正対象項目名】００４５
【補正方法】変更
【補正の内容】
【００４５】
５８はタイマーであり、操作部７０で設定されたシャッタ秒時に合わせてシャッタ制御部４０を制御して、露光時間を制御するのに用いられる。また、シャッタ制御部４０で制御されるメカシャッタ１２の後幕コイルの通電開始から通電解除までの通電時間、後幕コイルの通電解除から次の露光開始（ＳＷ２ＯＮ）までの経過時間をカウント（計測）することもできる。さらに、カウントした時間を不揮発性メモリ５６（ＥＥＰＲＯＭ）に一時的に記憶保持させることもできる。
【手続補正８】
【補正対象書類名】明細書
【補正対象項目名】００６７
【補正方法】変更
【補正の内容】
【００６７】
４は先幕ヨーク（電磁部材）、５は先幕ヨーク４の外周に設けられた先幕コイル（電磁部材）である。先幕コイル５に電圧を印加すると、先幕ヨーク４に磁力を発生させることができ、この磁力によって先幕アマチャ３を吸着する。これにより、図２に示すオーバーチャージ後にチャージレバー１０が反時計回りに回動した後も、先幕羽根群２ａによりアパーチャ１ａを遮蔽する初期位置（図３の走行前待機状態）に保つことができる。このように、先幕アマチャ３、先幕ヨーク４、先幕コイル５からなる先幕保持機構により、先幕羽根群２ａ（先幕）を初期位置に保持することができる。
【手続補正９】
【補正対象書類名】明細書
【補正対象項目名】００７４
【補正方法】変更
【補正の内容】
【００７４】
８は後幕ヨーク（電磁部材）、９は後幕ヨーク８の外周に設けられた後幕コイル（電磁部材）である。後幕コイル９に電圧を印加すると、後幕ヨーク８に磁力を発生させることができ、この磁力によって後幕アマチャ７を吸着する。これにより、図２に示すオーバーチャージ後にチャージレバー１０が反時計回りに回動した後も、後幕羽根群６ａがアパーチャ１ａを開放する初期位置（図３の走行前待機状態）に保つことができる。このように、後幕アマチャ７、後幕ヨーク８、後幕コイル９からなる後幕保持機構により、後幕羽根群６ａ（後幕）を初期位置に保持することができる。
【手続補正１０】
【補正対象書類名】明細書
【補正対象項目名】００８４
【補正方法】変更
【補正の内容】
【００８４】
シャッタ秒時が所定の秒時（例えば、１秒）よりも大きい場合はステップＳ１５に進み、システム制御回路５０がタイマー５８にカウント開始指示を出し、後幕コイル９の通電時間ｔoiのカウントを開始する。次にステップＳ１６に進み、以下の処理を行う。先ず、直近ｍ回（少なくとも１回）の撮影時における後幕コイル９の通電時間ｔoiの和SUMtoi（ｉ＝１〜ｍ）を求める。なお、ｔoｍ（つまり、ｉ＝ｍ）は現撮影のための後幕コイル９への通電予測時間であり、ここではシャッタ秒時Ｔ１を用いる。次に、直近ｍ−１回（少なくとも１回）の撮影後に後幕コイル９を通電オフしてから次回の撮影で後幕コイル９の通電を開始するまでの経過時間ｔcjの和SUMtcj（ｊ＝１〜ｍ−１）を求める。そして、求めた２つの和の差分値SUMtoi−SUMtcj（ｉ＝１〜ｍ，ｊ＝１〜ｍ−１）を演算し、所定の閾値ｔh（例えば、３０秒）よりも大きいかどうかを判別する。そして、所定の閾値ｔh（例えば、３０秒）を超える場合は、システム制御回路５０は、補正時間α(t)を演算する（ステップＳ１７）。そして、測光制御部４６による測光結果に基づいて設定した露光時間（シャッタ秒時）Ｔ１に補正時間α(t)を加算し（ステップＳ１８）、補正後のシャッタ秒時をＴ１＋α(t)とする。ここで、補正時間α(t)は、通電時間ｔoと経過時間ｔcの関数（補正関数）であり、次式で表される。
α(ｔ)＝Ｃ１(Ａ(SUMtoi3)＋Ｂ(SUMtoi2)＋Ｃ(SUMtoi)＋Ｄ)−Ｃ２×ln(SUMtcj)
ただし、（ｉ＝１〜ｍ，ｊ＝１〜ｍ−１）
【手続補正１１】
【補正対象書類名】明細書
【補正対象項目名】００９４
【補正方法】変更
【補正の内容】
【００９４】
なお、ここで、シャッタゲタよりもα(t)短いタイミングで、先幕コイル５の通電をオフする理由は次の通りである。即ち、通電時間と経過時間の差分値SUMtoi‐SUMtcjが所定の閾値ｔhより大きい場合は、電磁石の発熱により後幕用の電磁石の離反タイミングが変化する（早くなる）為、その分、先幕コイル５の通電オフのタイミングも早くする必要があるからである。
【手続補正１２】
【補正対象書類名】明細書
【補正対象項目名】００９９
【補正方法】変更
【補正の内容】
【００９９】
スイッチＳＷ２がＯＮされた場合はステップＳ３７に進み、直近ｍ回（少なくとも１回）のライブビューによる後幕コイル９の通電時間の和SUMtoi（ｉ＝１〜ｍ）が所定の閾値ｔh（例えば、３０秒）よりも大きいかを判別する。なお、ｔoｍ（つまり、ｉ＝ｍ）は現撮影のための後幕コイル９への通電時間であり、ここではステップＳ３４で開始されたカウント値を用いる。通電時間の和SUMtoiが所定の閾値ｔh（例えば、３０秒）を超える場合は、システム制御回路５０は、補正時間β(t)を演算する（ステップＳ３８）。そして、測光制御部４６による測光結果に基づいて設定した露光時間（シャッタ秒時）Ｔ１に補正時間β(t)を加算し（ステップＳ３９）、補正後のシャッタ秒時をＴ１＋β(t)とする。ここで、補正時間β(t)は、通電時間ｔoに基づき算出され、以下に示す関数（補正関数）で表される。
β(ｔ)＝Ｃ１(Ａ(SUMtoi3i)＋Ｂ(SUMtoi2i)＋Ｃ(SUMtoi)＋Ｄ)
ただし、（ｉ＝１〜ｍ）
【手続補正１３】
【補正対象書類名】明細書
【補正対象項目名】０１００
【補正方法】変更
【補正の内容】
【０１００】
（Ａ，Ｂ，Ｃ，Ｄ，Ｃ１は時間補正係数）
一方、ステップＳ３７において、直近ｍ回（少なくとも１回）のライブビューによる後幕コイル９の通電時間の和SUMtoi（ｉ＝１〜ｍ）が所定の閾値以下（例えば、閾値ｔｈ≦３０秒）の場合には、シャッタ秒時Ｔ１をそのまま用いる（ステップＳ４０）。
【手続補正１４】
【補正対象書類名】明細書
【補正対象項目名】０１１９
【補正方法】変更
【補正の内容】
【０１１９】
図２に示すオーバーチャージ状態（ステップＳ５１）で、操作部７０の一つであるライブビューモードボタンによりライブビューモードが設定されているかどうかを判定する（ステップＳ５２）。ライブビューモードが設定されていない場合は、ライブビューモードボタンによるライブビューモードの判定を繰り返す。ステップＳ５２において、ライブビューモードが設定されている場合は、クイックリターンミラー１３０のアップ動作を行い、先幕コイル５、後幕コイル９への通電を開始する（ステップＳ５３）。さらに、システム制御回路５０はタイマー５８に後幕コイル９の通電時間ｔoiのカウント開始を指示する（ステップＳ５４）。次に、チャージレバー１０が反時計回りに回転する。すると、チャージレバー１０のカム部１０ｂ、１０ｃから、先幕チャージコロ２ｃ、後幕チャージコロ６ｃが離れ、図３に示す走行前待機状態へと移行する。
【手続補正１５】
【補正対象書類名】明細書
【補正対象項目名】０１２５
【補正方法】変更
【補正の内容】
【０１２５】
スイッチＳＷ２がオンされた場合はステップＳ６３に進み、以下の処理を行う。先ず、直近ｍ回（少なくとも１回）撮影における後幕コイル９の通電時間の和SUMtoi（ｉ＝１〜ｍ）を求める。なお、ｔoｍ（つまり、ｉ＝ｍ）は現撮影のための後幕コイル９への通電予測時間であり、ここではシャッタ秒時Ｔ１を用いる。次に、直近ｍ‐１回（少なくとも１回）の撮影後に後幕コイル９を通電オフしてから次回の撮影で後幕コイル９の通電を開始するまでの経過時間の和SUMtcj（j＝１〜ｍ‐１）を求める。そして、求めた２つの和の差分値SUMtoi‐SUMtcj（ｉ＝１〜ｍ，ｊ＝１〜ｍ‐１）を演算し、所定の閾値ｔh（例えば、３０秒）よりも大きいかどうかを判別する。そして、所定の閾値ｔh（例えば、３０秒）を超える場合は、システム制御回路５０は、補正時間α(t)を演算する（ステップＳ６４）。そして、測光制御部４６による測光結果に基づいて設定した露光時間（シャッタ秒時）Ｔ１に補正時間α(t)を加算し（ステップＳ６５）、補正後のシャッタ秒時＝Ｔ１＋α(t)とする。ここで、補正時間α(t)は、通電時間ｔoと経過時間ｔcに基づき算出され、以下に示す関数（補正関数）で表される。
α(ｔ)＝Ｃ１(Ａ(SUMtoi3)＋Ｂ(SUMtoi2)＋Ｃ(SUMtoi)＋Ｄ)‐Ｃ２×ln(SUMtcj)
【手続補正１６】
【補正対象書類名】明細書
【補正対象項目名】０１３０
【補正方法】変更
【補正の内容】
【０１３０】
図１３（ｂ）はＥＶＦを用いたライブビュー撮影及びライブビュー解除後の光学ファインダを用いた撮影において、横軸を時間ｔとした時のカメラ動作の一例を示した図である。撮影１〜３における図８のステップＳ６３で用いられる判別式の左項は、それぞれ
撮影１：ｔo1
撮像２：ｔo1＋ｔo2＋ｔo3‐ｔc1
撮像３：ｔo1＋ｔo2＋ｔo3＋ｔo4‐（ｔc1＋ｔc2）